(57)【要約】【課題】  静電容量式タッチパッドを具備するコンピュータ用キーボードを提供する。【解決手段】  コンピュータ用キーボードであって、静電容量式タッチパッドに一般入力区を含んでいる。静電容量式タッチパッドのパネルには、数字パターンを有する。静電容量式タッチバッドは、さらに手書き入力お及びマウスモードを有し、１つの機能切換キー或いは当該パネル上の機能切換パターンにより静電容量式タッチパッドの数字キー、手書き入力およびマウスモードに切換えることができる。【選択図】        図２
2005326905.tif 000002
【特許請求の範囲】
【請求項１】
コンピュータ用キーボードであって、
一般入力区と、静電容量式タッチパッドとを備え、
前記静電容量式タッチパッドは、前記一般入力区に隣接し、前記静電容量式タッチパッドはパネルを有し、その上に数字のパターンを有し、静電容量式タッチパッドに数字キーモードを設置することを特徴とするコンピュータ用キーボード。
【請求項２】
前記静電容量式タッチパッドは、マウスモードを有することを特徴とする請求項１記載のコンピュータ用キーボード。
【請求項３】
前記静電容量式タッチパッドの数字キー及びマウスモードを切り換える切換キーを有することを特徴とする請求項２記載のコンピュータ用キーボード。
【請求項４】
前記パネル上に、前記静電容量式タッチパッドの数字キー及びマウスモードを切り換える機能切換パターンを有することを特徴とする請求項２記載のコンピュータ用キーボード。
【請求項５】
前記静電容量式タッチパッドは、手書き入力モードを有することを特徴とする請求項１記載のコンピュータ用キーボード。
【請求項６】
前記静電容量式タッチパッドの数字キー及び手書き入力モードを切り換える切換キーを有することを特徴とする請求項５記載のコンピュータ用キーボード。
【請求項７】
前記パネル上に、前記静電容量式タッチパッドの数字キー及び手書き入力モードを切り換える機能切換パターンを有することを特徴とする請求項５記載のコンピュータ用キーボード。
【請求項８】
前記静電容量式タッチパッドは、マウス及び手書き入力モードを有することを特徴とする請求項１記載のコンピュータ用キーボード。
【請求項９】
前記静電容量式タッチパッドの数字キー、マウスモード及び手書きモードを切り換える切換キーを有することを特徴とする請求項８記載のコンピュータ用キーボード。
【請求項１０】
前記パネル上に、前記静電容量式タッチパッドの数字キー、マウスモード及び手書き入力モードを切り換える機能切換パターンを有することを特徴とする請求項８記載のコンピュータ用キーボード。
【請求項１１】
前記パネル上に特殊機能用パターンを有することを特徴とする請求項１記載のコンピュータ用キーボード。
【請求項１２】
前記特殊機能パターンはホットキーパターンを含むことを特徴とする請求項１１記載のコンピュータ用キーボード。
【発明の詳細な説明】
【技術分野】
【０００１】
本発明は、コンピュータ用キーボードの一種で、特に静電容量式タッチパッドを具備した一種のコンピュータ用キーボードである。
【背景技術】
【０００２】
図１に示すとおり、伝統的なコンピュータ用キーボード１０には、一般入力部１２及び数字キー入力区１４を具備するが、一般入力部１２及び数字入力部１４は、使用上キー入力の機能を提供できるのみで、マウス或いはその他付加機能を提供することができない。
キーボードにマウス機能を具備させるため、台湾実用新案出願番号第８５２１４５９１号でキーボードのパームレスト部上に１つの設置スロットを増設し、トラックボール或いはタッチパッドを結合してマウスのカーソルを制御できるようにした。しかし既存のキーボード上に１つのマウス機構を増加させた場合、キーボードの体積が大きくなり、キーボードの体積を縮小させることができない。
【発明の開示】
【発明が解決しようとする課題】
【０００３】
本発明の目的の一つは、コンピュータ用キーボードの数字入力部の面積を縮小する静電容量式タッチパッドを具備するコンピュータ用キーボードを提供することにある。
本発明の目的のもう一つは、使用機能を増加する静電容量式タッチパッドを具備するコンピュータ用キーボードを提供することにある。
【課題を解決するための手段】
【０００４】
本発明は、コンピュータ用キーボードであって、静電容量式タッチパッドに一般入力区を含み、当該静電容量式タッチパッドのパネルには、数字パターンを有する。当該静電容量式タッチバッドは、さらに手書き入力お及びマウスモードを有し、１つの機能切換キー或いは当該パネル上の機能切換パターンにより当該静電容量式タッチパッドの数字キー、手書き入力およびマウスモードに切換える。
【発明の効果】
【０００５】
これにより本発明は、コンピュータ用キーボードの体積縮小を満たすとともに使用する機能を増加できるようにした。
本発明のコンピュータ用キーボードは、静電容量式タッチパッドに従来のキーボードの数字入力区を設けることによって、キーボードの数字キー区のサイズを縮小するものである。静電容量式タッチパッドに従来のキーボードの数字入力区を設け、且つ数字キー及びマウスモードを具備することにより、コンピュータ用キーボードにマウス機能の構造を追加することによってキーボードの体積を大きくする必要が無くなった。静電容量式タッチパッドとコンピュータ・ソフトウエアによってバーチャル手書き入力やその他の機能用途を組み合わせることができ、本発明のコンピュータ用キーボードに多機能モードの用途を備えさせた。
【発明を実施するための最良の形態】
【０００６】
図２は、本発明の第１実施例によるコンピュータ用キーボードの概略図である。コンピュータ用キーボード１００には、一般入力区１０２に静電容量式タッチパッド１０４が隣接し、この静電容量式タッチパッド１０４のパネルには、数字パターンを有して数字キーで入力を行なう。この静電容量式タッチパッド１０４に従来のキーボードの数字入力区を備えることでキーボードの数字入力区のサイズを縮小することができる。さらに静電容量式タッチパッド１０４は、手書き入力とマウスモードを含み、手書き入力モード下において指で静電容量式タッチパッド１０４のパネルに触れることで絵や文書を書き込むとともに、コンピュータのソフトウエアの読取によって、絵や文書の文字をコンピュータスクリーンに表示する。マウスモードでは、指で静電容量式タッチパッド１０４のパネルに触れてウインドウ上のスプール或いはカーソルを制御し、機能切換キー１０６で静電容量式タッチパッド１０４のモードを切り換える。静電容量式タッチパッド１０４のパネル上に、その他の機能キーパターンを加えることができる。例えばホットキーなどである。
【０００７】
図３は、図２の静電容量式タッチパッド１００及びその数字キー、手書き入力及びマウスモード下にある概略図である。図３Ａは、静電容量式タッチパッド２００の表示図には、１枚のパネル２０２を含み、その上にはパターンを具備し、静電容量式タッチパッド２００によって異なる使用モードに切り替える。ユーザーの使用に対応してパターンも異なる。ユーザーが、静電容量式タッチパッド２００で数字キーモードに切り換えると、使用に対応する数字キーのパターンが符号２０４に示すとおりとなる。ユーザーが、静電容量式タッチパッドを手書き入力モードに切り換えると、その手書き認識エリアは、符号２０６に示すとおりとなる。ユーザーが、静電容量式タッチパッド２００をマウスモードに切り換えると、カーソル（ｃｕｒｓｏｒ）の動作、垂直と水平へのスクロール（ｓｃｒｏｌｌ）エリアを含んで符号２０８に示すとおりとなる。ユーザーは、カーソル動作エリアでカーソルの動き、垂直と水平へのスクロールエリアを制御する時、水平方向或いは縦方向へのスプールでウインドウの動きを制御する機能を提供している。
【０００８】
図３Ｂは、静電容量式タッチパッド１００上に増加したその他の機能キーの概略図であり、この静電容量式タッチパッド２５０には、１枚のパネル２５２を含む。この上にはバーチャル入力区２５４、２５６及び２５８を有し、ユーザーが、静電容量式タッチパッド２５０を数字入力モードに切り換えると、バーチャル入力区２５４の数字パターン、バーチャル入力キー区２５６の符号表、更正、コピー及び貼り付けなどの機能キーパターン、バーチャル入力区２５８のホットキー１〜４などの機能キーパターンが、符号２６０で示すとおりとなる。ユーザーが、静電容量式タッチパッド２５０を手書き入力モードに切り換えると、バーチャル入力区２５４及び２５８は、手書き認識エリアとなり、バーチャル入力区２５６の入力、構成、フォント及び選択などの機能パターンが、符号２６２で示すとおりとなる。当該ユーザーが、静電容量式タッチパッド２５０をマウスモードに切り換えると、バーチャル入力キー区２５４及び２５８が手書き認識区となり、バーチャル入力キー区２５６の入力２５６の入力、更生、フォント及び選択などなどの機能キーパターンは、符号２６２に示すとおりとなる。ユーザーが静電容量式タッチパッド２５０をマウスモードに切り換えると、バーチャル入力区２５４は、カーソル動作エリアとなり、ユーザーは、この区でカーソルの動作を制御でき、このバーチャル入力区２５６及び２５８で提供する垂直及び水平スクロールエリアで、横方向或いは縦方向のウインドウのスプール機能を制御でき、符号２６４に示すとおりとなる。
【０００９】
図４は、本発明の第２実施例によるコンピュータ用キーボードの概略図である。コンピュータ用キーボード３００には、一般入力区３０２に静電容量式タッチパッド３０４に隣接している。この静電容量式タッチパッド３０４には、１つの機能切換キーパターン３０６を具備し、静電容量式タッチパッド３０４の数字キー、手書き入力及びマウスモードに切り換える。モードを切り換える時、コンピュータディスプレイの静電容量式タッチパッド３０４で使用するモードにより、この静電容量式タッチパッド３０４で数字キーモードを使用すると、数字キーで入力を行い、従来のコンピュータ用キーボードの数字入力区を代替する。手書き入力モードにおいて、指で静電容量式タッチパッド３０４パネルに触れて絵や文字を書き込むとコンピュータのソフトウエアが判読して、絵や文字をコンピュータディスプレイに表示する。マウスモードにおいて、指で静電容量式タッチパッド３０４のパネルに触れることによってコンピュータディスプレイのカーソルを制御する。
【図面の簡単な説明】
【００１０】
【図１】従来のコンピュータ用キーボードを示す概略図である。
【図２】本発明の第１実施例によるコンピュータ用キーボードの概略図である。
【図３Ａ】図２に示す静電容量式タッチパッド及びその数字キー、手書き入力及びマウスモード下にある状態を示す概略図である。
【図３Ｂ】図２に示す静電容量式タッチパッド及びその数字キー、手書き入力及びマウスモード下にある状態を示す概略図である。
【図４】本発明の第２実施例によるコンピュータ用キーボードの概略図である。
【符号の説明】
【００１１】
１０  コンピュータ用キーボード、１２  一般入力区、１４  数字入力区、１００  コンピュータ用キーボード、１０２  一般入力区、１０４  静電容量式タッチパッド、１０６  機能切換キー、２００  静電容量式タッチパッド、２０２  パネル、２５０  静電容量式タッチパッド、２５２  パネル、２５４  バーチャル入力区、２５６  バーチャル入力区、２５８  バーチャル入力区、３００  コンピュータ用キーボード、３０２  一般入力区、３０４  静電容量式タッチパッド、３０６  機能切換キーパターン
【図１】
2005326905.tif 000003
【図２】
2005326905.tif 000004
【図３Ａ】
2005326905.tif 000005
【図３Ｂ】
2005326905.tif 000006
【図４】
2005326905.tif 000007